(57)【要約】      （修正有）【課題】看護，介護従事者等が腰部に密着して保持し、ポケットに消毒用ボトル等を飛び出させることなく携行して随時、携行のまま押圧部を押圧して消毒液等をガーゼ等に取り出し使用容易なウエストポーチを提供する。【解決手段】着脱可能な腰ベルト１に土台布２を取り付け、該土台布２に消毒用ボトル等を収納するポケット３を縫着してウエストポーチを形成する。さらに、前記土台布２を一方側２ａが拡大した逆台形状となすと共に、ポケット３を伸縮性素材により、ポケット３ａは伸縮性を残して両脇部はマチを設けることなくフラットに、一方、底部３ｂはマチを設けて拡がり可能に土台布に縫着する。なお、土台布２は通気性に優れた多層メッシュ素材により形成するのが好ましい。【選択図】図１
0003169238.tif 000002
【実用新案登録請求の範囲】
【請求項１】
着脱可能な腰ベルトに土台布を取り付け、該土台布に物を収納するポケットを縫着してなるウエストポーチであって、前記土台布が一方側を拡大した逆台形状に形成されていると共に、ポケットが伸縮性素材により、ポケット口は伸縮性を残して両脇部はマチを設けることなくフラットに、一方、底部はマチを設けて拡がり可能に土台布に縫着されていることを特徴とするウエストポーチ。
【請求項２】
土台部が通気性に優れた多層メッシュ素材よりなる請求項１記載のウエストポーチ。
【請求項３】
ポケットに収納する物が消毒用ボトルである請求項１又は２記載のウエストポーチ。
【考案の詳細な説明】
【技術分野】
【０００１】
本考案はウエストポーチ、特に看護，介護用に使用し、動作の妨げとならないよう腰部への密着性と消毒用ボトル等の保持の確実性を工夫したウエストポーチに関するものである。
【背景技術】
【０００２】
近時、各種アクセサリー，装身具，身の回り品，キー等、日常に必要な小物類を保持するため、腰ベルトに取り付けられた小バッグにそれら小物類を収納して適宜、使用するウエストポーチが一般に広く使用されている。
【０００３】
ところが、従来のウエストポーチはバッグ部に物を収納して携行するだけであるためバッグ部の開口部は通常、ファスナー等により開閉可能に形成されており（例えば特許文献１，２参照）、バッグ内のものを取り出すには一々、ファスナーを開放しなければならなかった。と云って、バッグ部上部を開放状態にしておくことは内部の物が落下し紛失する恐れがあるため、好ましいとは云えない。
【０００４】
しかし、近時、看護，介護用に消毒を利用することが多く、そのため消毒液を入れたボトル（本明細書中では消毒用ボトルと称する）の携行が必要となって来た。しかもこのような消毒用ボトルを携行するにはバッグ部をポケット形状とし随時、使用し得るようにすることが必要であるが、従来のウエストポーチにはこれに適応する構造のものは見当たらなかった。
【先行技術文献】
【特許文献】
【０００５】
【特許文献１】実公平６−２０４１５号公報
【特許文献２】実公平７−３６６８５号公報
【考案の概要】
【考案が解決しようとする課題】
【０００６】
本考案は上述の如き実状に対処し、特に看護，介護用として消毒用ボトルを随時携行し、必要時、着装のまま、あるいは取り出して使用を容易にするウエストポーチに着目し、バッグ部に代わり上部に開口を有するポケットを作成し、該ポケットの使用素材ならびに消毒用ボトルを携行時に飛び出しがなく、かつ携行のまま使用容易なポケット構造を見い出すことにより、腰部への密着性を高め、歩行時の振動や着装のまま消毒液使用時の沈みを軽減して看護，介護用の消毒用ボトルの携行を容易にし、かつ着装のままボトル上部の押圧部を押圧して使用を可能として看護，介護の実効に寄与せしめることを目的とするものである。
【課題を解決するための手段】
【０００７】
即ち、上記目的に適合する本考案ウエストポーチは、着脱可能な腰ベルトに土台布を取り付け、該土台布に物を収納するポケットを縫着形成してなるウエストポーチであって、前記土台布が一方側を拡大した逆台形状よりなると共に、ポケットが伸縮性素材により、ポケット口は伸縮性を残して両脇部はマチを設けることなくフラットに、一方、底部はマチを設けて拡がり可能に土台布に縫着してなる構成よりなる。なお、土台布としては通気性に優れた多層メッシュ素材を用いることが好適である。また、ポケットに収納する物としては特に消毒用ボトルを収容することが有用である。
【考案の効果】
【０００８】
本考案は上記の如くポケットを取り付ける土台布を逆台形状として、一方側を拡大形成することにより腰部への密着性を高め、歩行時の振動やボトル装着のままの消毒液使用時の沈みを軽減することができると共に、ポケットを伸縮性素材を用いて形成しているため消毒用ボトルがぴったりと収納でき、しかもポケットの底にマチを設け、両脇はフラットとしたため消毒用ボトルが飛び出すことなく確実に保持され、逆さまにしても落下することがなく、消毒用ボトルをポケットに収納したまま、上部の押圧部を押圧してガーゼ等に消毒液を浸して使用を容易とする効果を有している。
【０００９】
また、ポーチとして腰部に消毒液等を保持携行していても、常に両手は自由となり、看護，介護の仕事を併用して行うことができる利点もある。特に、土台布として通気性にす優れた多層メッシュ素材を用いることにより一日中、着用していても着装部位で蒸れが生じることがない効果もある。
【図面の簡単な説明】
【００１０】
【図１】本考案に係るウエストポーチの外観図である。
【図２】図１のＸ−Ｘ線に沿う要部断面図である。
【図３】ポケットに消毒用ボトルを収納した状態を示す要部側面図である。
【考案を実施するための形態】
【００１１】
以下、更に添付図面に基づいて本考案の具体的形態を説明する。図１は本考案ウエストポーチの１例を示す外観図であり、図において、１は各端部に互いに係合可能な係合具１ａ，１ｂを有して適宜着脱可能な腰ベルトであり、使用時、随時看護士，介護士等の腰に装着して作業に従事する。そして、この腰ベルト１には、その適宜、所要の位置に物、例えば消毒用ボトルＢ等を収容するポケット３を縫い付け形成するための土台布２が取り付けられて該布２を土台として上記のポケット３が縫着等により作成されている。
【００１２】
ここで上記土台布２は腰部への密着性をよくするため図示の如く一方側、図における右側２ａを他方側、図における右側２ｂよりもその上方が外方に出るように拡大した逆台形状をなす布により形成されていて、歩行時の振動や携行のままの消毒液使用時の沈みを軽減し得るようになっていると共に、一日中、着用していても着装部位でムレが生じないように優れた多層メッシュ素材が好ましい素材として使用されている。
【００１３】
一方、土台布２に設けられるポケット３は、消毒用ボトルＢ等の物を確実に収納し得るよう弾性布などの伸縮性素材により適宜の大きさをもって作成されている。具体的には上部のポケット口３ａは伸縮性を残して千鳥ミシン等による縫製仕様となっていると共に、ポケットの両脇部はマチを設けず、フラットに縫着される一方、ポケット底部３ｂはマチを設けた。このように構成したのでポケット３は消毒用ボトルＢ等が飛び出さないようにして消毒用ボトル等をぴったりと収納でき、逆さまにしても落下しないよう構成されている。勿論、このポケット３の大きさは内部に収容される物に応じて作成され、深さも選択されることは云うまでもない。
【００１４】
かくして本考案ウエストポーチは看護，介護するに際し、看護，介護の動作の妨げとならないように消毒用ボトルを収納したポケットがウエスト部分背中側あるいは側部にくるようユニフォームの上から装着し、必要時、装着のまま消毒用ボトルＢを上部の押圧部を押圧して消毒液をガーゼ等に浸み込ませて使用し、あるいはボトルを取り出して内容液を使用し、終了すると押圧を止めてそのまま装着を続け、あるいはボトルを再びポケットに収納して看護，介護に従事し、頗る効果的な介護，看護を行うことができる。
【００１５】
特に本考案ウエストポーチは着装時、常に手を自由な状態に保持することができ、看護，介護の種々の動作を平並行して行うことができる利点がある。
【００１６】
なお、上記においてポケット内に収納される物を消毒用ボトルとして例記して来たが、消毒用に限らず他のボトルを収納することも差し支えなく、当然、本考案の含むところである。
【符号の説明】
【００１７】
１：腰ベルト
２：土台布
２ａ：拡大部
３：ポケット
３ａ：ポケット口
３ｂ：ポケット底部
Ｂ：消毒用ボトル
【図１】
0003169238.tif 000003
【図２】
0003169238.tif 000004
【図３】
0003169238.tif 000005